(57)【要約】【課題】可動体を移動させるベルトの張力を少ない部品点数で適宜に微調整可能に保持できる遊技機を提供する。【解決手段】本発明の遊技機は、駆動プーリと、従動プーリ１２３と、前記駆動プーリと従動プーリ１２３との間に掛け渡されるベルト１２５とを備え、モータにより駆動プーリが回転されてベルト１２５が移動されることによりベルト１２５に取着される可動体が移動される。この遊技機は、従動プーリ１２３を保持するプーリ保持体１０６と、プーリ保持体１０６を移動可能に支持する支持体１０５と、支持体１０５に対するプーリ保持体１０６の相対的な位置をベルト１２５の延在方向で可変調整して固定するための位置調整固定部１３０，１５０とを備える。【選択図】図７
2019170864.tif 000002
【特許請求の範囲】
【請求項１】
所定位置に固定されてモータにより駆動される駆動プーリと、従動プーリと、前記駆動プーリと前記従動プーリとの間に掛け渡されるベルトとを備え、前記モータにより前記駆動プーリが回転されて前記ベルトが移動されることにより該ベルトに取着される可動体が移動される遊技機であって、
前記従動プーリを保持するプーリ保持体と、
前記プーリ保持体を移動可能に支持する支持体と、
前記支持体に対する前記プーリ保持体の相対的な位置を前記ベルトの延在方向で可変調整して固定するための位置調整固定部と、
を備えることを特徴とする遊技機。
【請求項２】
前記位置調整固定部は、前記支持体および前記プーリ保持体のうちの一方に設けられるナットと、前記支持体および前記プーリ保持体のうちの他方に設けられて前記ナットと螺合されるボルトとによって構成されることを特徴とする請求項１に記載の遊技機。
【請求項３】
前記位置調整固定部は、前記プーリ保持体側に取り付けられて、前記プーリ保持体を前記支持体に対して移動させることにより前記ベルトの張力を目標張力に設定する定荷重バネを伴うことを特徴とする請求項１に記載の遊技機。
【発明の詳細な説明】
【技術分野】
【０００１】
本発明は、遊技機に関し、特に、ベルト駆動によって可動役物等の可動体を往復動させることができる遊技機に関する。
【背景技術】
【０００２】
近年のパチンコやスロットマシン等の遊技機においては、液晶表示部に表示される種々の演出に連動して、遊技機の前面で往復動する役物が設けられている。このような可動役物（演出部材）は上下方向や左右方向に往復動可能となっており、また、そのような往復動を可能にする駆動機構は、一般に、モータにより駆動される駆動プーリ、従動プーリ、および、これらのプーリ間に掛け渡されるベルトによって構成される。この場合、前記可動役物はベルトに取着されており、モータによって駆動プーリが回転（正逆回転）されてベルトが回転移動されると、可動役物は、ガイド部材に沿って往復動して、例えば遊技者が視認可能な位置に対して出てきたり隠れたりするようになる。
【０００３】
そのような可動役物駆動機構では、ベルトを所定の張力に保持して緩まないようにする必要がある。そのため、例えば特許文献１では、固定される駆動プーリに対して従動プーリが離接方向で移動可能になっているとともに、従動プーリを駆動プーリから離間する方向に付勢する付勢手段としてのテンションバネによって従動プーリと駆動プーリとの間に掛け渡されるベルトに所定の張力を付与する一方、ベルトに取着される役物が駆動プーリ側に移動している際にこの移動によって従動プーリがベルトを介して駆動プーリ側にテンションバネの付勢力に抗して引き寄せられて動いてしまわない（ベルト張力が緩まない）ように、駆動プーリ側への従動プーリの移動を防止するストッパが設けられている。
【先行技術文献】
【特許文献】
【０００４】
【特許文献１】特開２０１６−１２３４２５号
【発明の概要】
【発明が解決しようとする課題】
【０００５】
ところで、駆動プーリ、従動プーリ、および、ベルトによって構成される前述した可動役物駆動機構において、ベルトの張力は、駆動プーリを回転駆動させるモータの駆動性能（トルク）に影響を与えるとともに、モータと駆動プーリとの間に介挿されるギア、プーリ、および、可動体の構造形態、更には、可動体およびプーリとベルトとの取り付け形態などによって決定付けられるため、所望のモータ駆動性能を得るためには、ベルトの張力を状況に応じて適宜に微調整して所定範囲に保持することが重要となる。
【０００６】
しかしながら、前述した特許文献１に開示される可動役物駆動機構（往復動手段）は、テンションバネとストッパとによってベルトを所定の張力に設定しつつ緩まないようにしているだけであるため、特に可動役物駆動機構の組み付け後においてはベルトの張力を微調整することが難しい。
【０００７】
とりわけ、ベルト移動の高速化を図るべく、駆動プーリを回転駆動させるモータが従来のステッピングモータからＤＣブラシレスモータに変更される場合には、ＤＣブラシレスモータがモータ軸に作用する負荷（すなわち、ベルト張力）に応じて速度変化を伴うことから、ベルト張力の増大に伴うモータ軸への過大な負荷によりモータ速度が低下しないように、ベルトの張力を状況に応じて適宜に細かく調整してモータ軸に作用する負荷を適正に保つことが従来にも増して一層重要になってくる。
【０００８】
また、前述した特許文献１の可動役物駆動機構では、ベルトが緩まないように張力を一定に保持するために、テンションバネに加えて、別途、ストッパも必要となることから、部品点数の増加も懸念される。
【０００９】
なお、以上のようなベルト張力の微調整および部品点数の問題は、可動役物に限らず、ベルト駆動で移動する遊技機の全ての可動体において当てはまる問題でもある。
【００１０】
本発明は、前記事情に鑑みてなされたもので、可動体を移動させるベルトの張力を少ない部品点数で適宜に微調整可能に保持できる遊技機を提供することを目的とする。
【課題を解決するための手段】
【００１１】
前記目的を達成するために、本発明は、所定位置に固定されてモータにより駆動される駆動プーリと、従動プーリと、前記駆動プーリと前記従動プーリとの間に掛け渡されるベルトとを備え、前記モータにより前記駆動プーリが回転されて前記ベルトが移動されることにより該ベルトに取着される可動体が移動される遊技機であって、
前記従動プーリを保持するプーリ保持体と、
前記プーリ保持体を移動可能に支持する支持体と、
前記支持体に対する前記プーリ保持体の相対的な位置を前記ベルトの延在方向で可変調整して固定するための位置調整固定部と、
を備えることを特徴とする。
【００１２】
本発明においては、位置調整固定部によって、支持体に対するプーリ保持体の相対的な位置をベルトの延在方向で可変調整して固定できるようになっているため、プーリおよびベルトの組み付け後であっても、適宜、プーリ保持体により保持される従動プーリと駆動プーリとの間の距離を任意に（特に微小に）変化させて、駆動プーリと従動プーリとの間に掛け渡されるベルトの張力を微調整し、その調整した張力を容易に保持することが可能となる。
【００１３】
また、このように、駆動プーリを回転駆動させるモータの駆動性能（トルク）に影響を与えるパラメータとしてのベルト張力を任意に且つ適宜に調整できれば、所望のモータ駆動性能を確実に得ることができるようになる。したがって、例えば、ベルト移動の高速化を図るべく、モータ軸に作用する負荷（すなわち、ベルト張力）に応じて速度変化を伴うＤＣブラシレスモータをプーリ駆動用モータとして採用する場合であっても、位置調整固定部によってベルトの張力を細かく調整することによりモータ軸に作用する負荷を適正に保って、所望のＤＣモータ駆動特性を容易に実現できるようになる。
【００１４】
また、位置調整固定部のみによってベルト張力の調整および保持の両方を行なうことができるため、部品点数の削減にも寄与し得る。
【００１５】
なお、上記構成において、ベルト駆動によって移動される可動体としては、例えば、遊技機の液晶表示部に表示される種々の演出に連動して例えば遊技機前面で往復動する可動役物（演出部材）を挙げることができるが、これに限定されない。また、可動体は、ベルト駆動によるその移動がガイドロッド等によってベルト延在方向で案内されることが好ましい。
【００１６】
また、上記構成において、位置調整固定部は、支持体に対するプーリ保持体の相対的な位置をベルトの延在方向で可変調整して固定できればよく、その構造形態（機構）はどのようなものであってもよいが、支持体に対するプーリ保持体の微小な移動を可能にし得るものであることが好ましい。そのような微小な相対移動を可能にする機構としては、例えばボルトとナットとから構成されるネジ機構を挙げることができる。具体的には、そのような位置調整固定部は、支持体およびプーリ保持体のうちの一方に設けられるナットと、支持体およびプーリ保持体のうちの他方に設けられてナットと螺合されるボルトとによって構成されることが好ましい。このようなネジ機構によれば、ネジのピッチを細かく設定することにより、ボルトを締めたり緩めたりするだけで、支持体に対するプーリ保持体の微小な移動を容易且つ効果的に実現して、ベルト張力を素早く簡単に微調整できるだけでなく、ボルトの締め具合が変わらない限り、調整した位置を確実に保持できるため、前述した特許文献１のようなストッパを設ける必要もない。しかしながら、調整位置でプーリ保持体を確実に固定するためにプーリ保持体を支持体に対して例えば締結等により固定する固定手段が更に設けられても構わない。
【００１７】
また、位置調整固定部は、プーリ保持体側に取り付けられて、前記プーリ保持体を前記支持体に対して移動させることにより前記ベルトの張力を目標張力に設定するための定荷重バネを伴ってもよい。これによれば、定荷重バネによってベルトを常に正確に且つ迅速に目標張力に設定できるため、量産性に優れ、手動調整による誤差を回避できる。この場合、定荷重バネは、例えば、ベルト張力調整時に支持体とプーリ保持体との間に介在されてベルト張力調整後に遊技機側から取り外される冶具として構成されてもよいが、ベルト張力調整後も支持体とプーリ保持体との間に常に介在される常設部材として構成されても構わない。
【００１８】
また、上記構成において、支持体は、位置調整固定部によって支持体に対するプーリ保持体の相対的な位置をベルト延在方向でスムーズに変えることができるように、ベルト延在方向で所定の遊度をもってプーリ保持体を保持することが望ましく、また、ベルト駆動等に関与する各種のセンサを備えるセンサベースとしての付加機能を兼ね備えていることが更に好ましい。また、プーリ保持体は、支持体に対する相対移動が安定して行われるように、例えば支持体の一部によりベルト延在方向で案内されることが好ましい。
【発明の効果】
【００１９】
本発明の遊技機によれば、位置調整固定部それ自体によって、支持体に対するプーリ保持体の相対的な位置をベルトの延在方向で可変調整して固定できるようになっているため、可動体を移動させるベルトの張力を少ない部品点数で適宜に微調整可能に保持できる。
【図面の簡単な説明】
【００２０】
【図１】本発明の一実施の形態に係る遊技機の一例を示す全体斜視図である。
【図２】図１の遊技機の上扉の斜視図である。
【図３】表示窓の後側に配設されるシャッター装置の斜視図である。
【図４】図３のシャッター装置を構成する主要部の斜視図である。
【図５】駆動機構の平面図である。
【図６】図５の駆動機構の要部拡大平面図である。
【図７】図６のＡ−Ａ線に沿う縦断面図である。
【図８】図６のＢ−Ｂ線に沿う横断面図である。
【発明を実施するための形態】
【００２１】
以下、本発明の実施の形態について図面を参照して説明する。本実施の形態は本発明を遊技機の一つであるスロットマシンに適用した場合を例にとって説明するが、本発明は、スロットマシンに限ることなく、パチンコ遊技機等のその他の遊技機に適用されてもよい。  
なお、以下の説明において、基本的に、「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２２】
まず、発明が適用されるスロットマシンＭの概略構成について説明する。  
図１はスロットマシンＭを示す正面図である。  
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット、メダルを貯留するとともにメダルを払い出す払い出し装置としてのホッパーユニット等が設けられている。
【００２３】
また、筐体１の正面には、筐体１の正面開口部を開閉可能に閉塞する前扉３が設けられており、この前扉３は、前記開口部の上部を開閉可能に閉塞する上扉３０と、前記開口部の下部を開閉可能に閉塞する下扉４０とを備えている。  
筐体１内には、図示しない交換ユニットが着脱可能に設けられている。この交換ユニットは、略直方体状に組まれた金属枠である枠体と、枠体に支持されたリールユニットと、枠体に固定された基板ユニットとを備えている。
【００２４】
前記リールユニットは、枠体に設けられた３個のステッピングモータと、各々のステッピングモータの出力軸に固定された３個の回転リールとを備えている。また、前記基板ユニットは、ＣＰＵ、ＲＯＭ、ＲＡＭ、Ｉ／Ｏ等の電子部品を備えた基板を、基板ケースに収納したものである。そして、前記基板ユニットは、スロットマシンＭの遊技を制御するための遊技制御装置として機能する。
【００２５】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。  
そして、３個の回転リールが停止したときに入賞有効ライン上に停止した図柄の組み合わせによって当選役が入賞したか否かが表示される。
【００２６】
また、上扉３０の上部には、表示窓３１よりも大きい表示窓３２がほぼ鉛直に設けられている。この表示窓３２は上扉３０に設けられた画像表示装置の表示面を見るために設けられたものである。画像表示装置は液晶表示パネルを有し、画像表示装置では、その表示面に遊技機における演出用の画像が表示されるようになっている。
【００２７】
また、上扉３０の表示窓３２の上側中央部には、報知や演出などを行うための横長の照明装置３３が設けられている。  
また、表示窓３２と表示窓３１との間には報知や演出などを行うための横長の照明装置３４，３５，３４が左右に隣接して設けられている。
【００２８】
また、表示窓３１の左右両側には報知や演出などを行うための演出用パネル６１が設けられ、右側の演出用パネル６１には演出ボタン６２が設けられている。演出ボタン６２は、遊技者によって押下操作されるものであり、押下されることで例えば表示窓３２を通して見える画像表示装置に表示される演出画像の態様を変化させ、遊技者に対して遊技への参加意識を高めるとともに、興趣を高めるようにしたものである。例えば、演出ボタン６２の操作に連動して画像表示装置に表示される演出画像を選択することができる。なお、演出ボタン６２の配置は、これに限定されるものではなく、遊技者が押下操作可能な位置に設けられていればよい。
さらに、上扉３０の左右両側にはそれぞれ報知や演出などを行うための照明装置３７が設けられている。
【００２９】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００３０】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００３１】
また、上扉３０の下端部には、下扉４０の前面より後方側で下扉４０の上端より下側に突出する係合部が設けられ、下扉４０が閉じた状態で、上扉３０を開放することができない構造になっている。
【００３２】
また、下扉４０の下部には、スロットマシンＭの内部よりメダルを排出するためのメダル払い出し口と、メダル払い出し口から排出されたメダルを溜めておくためのメダル受け皿４３とが形成されている。また、下扉４０の上部にはスロットマシンＭを操作するための操作部５０が設けられており、この操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００３３】
操作部５０には、クレジットされたメダルを払い出すための精算スイッチ５２、遊技を開始させるためのスタートレバー５３、３個の回転リールそれぞれの回転を停止させるための３個のストップボタン５４、メダル（遊技媒体）を投入するためのメダル投入口４２、メダル投入口４２の下方のメダル通路内で発生したメダル詰まりを解消するリジェクトボタン５５、最大数の３枚のメダルをベットするときに操作されるＭＡＸベットボタン５６（ベットボタン）等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００３４】
ＭＡＸベットボタン５６は、上方を向くように配置されており、上方から下方に向かって押し込まれるように形成されている。ＭＡＸベットボタン５６を動作させるために必要な力（以下、操作力という）は、約１．０Ｎとなっている。また、ＭＡＸベットボタン５６は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。  
また、ストップボタン５４は、前方を向くように配置されており、前方から後方に向かって押し込まれるように形成されている。ストップボタン５４の操作力は、約０．７Ｎとなっている。すなわち、ストップボタン５４の操作力は、ＭＡＸベットボタン５６の操作力よりも小さくなっている。
【００３５】
また、前述した演出ボタン６２は、前方を向くように配置されており、前方から後方に向かって押し込まれるように形成されている。演出ボタン６２の操作力は、ＭＡＸベットボタン５６の操作力よりも大きいか、あるいは同等のものとなっている。演出ボタン６２の操作力は、例えば、約３．０Ｎとなっている。  
また、ストップボタン５４および演出ボタン６２は、ＭＡＸベットボタン５６と同様に、押圧部と弾性部材とを備えており、ストップボタン５４および演出ボタン６２の押圧部は、弾性部材によって前方に付勢されている。  
また、既述のとおり、ＭＡＸベットボタン５６の操作力は約１．０Ｎとなっている。すなわち、押圧部を押し込んで弾性部材を弾性変形させ、ＭＡＸベットボタン５６が備えるセンサからスイッチＯＮ信号（ボタンが押された旨の信号）が出力される位置まで押圧部を移動させるのに必要な荷重（センサ検知荷重）が約１．０Ｎとなっている。本実施の形態の遊技機においては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ストップボタン５４（操作力約０．７Ｎ）および演出ボタン６２（操作力約３．０Ｎ）についても同様である。
【００３６】
ここで、本実施の形態の遊技機における基本的な遊技の流れを説明する。遊技者がＭＡＸベットボタン５６を押下すると、クレジットされたメダルが投入（ベット）され、遊技を開始することが可能な状態となる。そして、遊技者が遊技を開始する操作としてスタートレバー５３を押下する操作を行うと、回転リールが回転を始め、回転リールの回転速度が所定の速度まで上昇するとストップボタン５４の押下操作が有効な状態となる。その後、遊技者が任意のタイミングでストップボタン５４を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
【００３７】
また、演出ボタン６２は、例えば、ボーナスに当たったことや、遊技者にとって有利な状態に移行することが決定したこと等の、遊技者にとって喜ばしいことを遊技者に報知する場合や、遊技者にとっての勝負所等の所定のタイミングで、演出の態様を変化させるための押下操作が有効な状態となる。そして、当該押下操作が有効な状態で、演出ボタン６２が押下されると、画像表示装置に表示される演出画像の態様が変化したり、可動役物が動いたりして、演出の態様が変化する。
【００３８】
上記から明らかなように、ストップボタン５４は、遊技毎に回転リールの数に応じた複数個押下する必要がある。このとき、ストップボタン５４の操作力が、ＭＡＸベットボタン５６および演出ボタン６２の操作力よりも小さく設定されていることにより、遊技者は、ストップボタン５４の操作に関して軽くて心地よい操作フィーリングを得ることができるとともに、テンポよくすべてのストップボタン５４を押下することが可能となる。したがって、遊技者は快適に遊技を行うことが可能となり、遊技性が向上する。また、このように使用頻度の高いストップボタン５４の操作力が小さく設定されていることにより、遊技者の疲労の蓄積が軽減され、遊技性が向上する。
【００３９】
また、ＭＡＸベットボタン５６は、遊技を開始するための操作に用いられることや、上から叩くようにして操作することが可能であることから、強い力で操作されることも多いが、ストップボタン５４よりも操作力が大きく設定されていることにより、遊技者は適度に押しごたえのある操作フィーリングを得ることができ、遊技性が向上する。
【００４０】
また、演出ボタン６２は、ストップボタン５４やＭＡＸベットボタン５６よりも操作頻度が低い。また、演出ボタン６２は、上記のように遊技者にとって喜ばしいことを遊技者に報知する場合や、遊技者にとっての勝負所等で、演出の態様を変化させるための押下操作が有効な状態となるので、気分が高揚した状態の遊技者によって強い力で操作される傾向がある。このような演出ボタン６２の操作力が、ストップボタン５４の操作力より大きく、かつＭＡＸベットボタン５６の操作力以上となるように設定されているので、遊技者は重くてずっしりとした操作フィーリングを得ることができ、遊技性が向上する。
【００４１】
図２に示すように、上扉３０は、キャビネットベース３０ａと、このキャビネットベース３０ａの背面内部に固定されるバリアユニット３０ｂと、キャビネットベース３０ａの前面側に固定されるキャビネット上ユニット３０ｃとから構成されている。上扉３０のキャビネットベース３０ａは、中央部に開口部を有する枠状に設けられ、この開口部の略中央部に開口部を上下に分ける分離帯３０ｄ（図３参照）が設けられ、開口部の上側がディスプレイ用窓部３０ｅ（図３参照）として形成され、下側がリール用窓部（図３には図示せず）として形成される。
【００４２】
表示窓３２の後側には、図３に示されるシャッター装置７０が設けられている。このシャッター装置７０は、可動体としての左右一対の可動部材７１，７１（シャッター、可動役物）と、これらの可動部材７１，７１を左右に往復移動させる駆動機構７２とを備える。
【００４３】
可動部材７１，７１は、後述するように駆動機構７２を構成するモータ７３等の駆動源により動力を得て移動するようになっており、前記画像表示装置の表示面の前（キャビネットベース３０ａの前面）で左右に往復移動することにより、前記画像表示装置による演出画像とともに遊技を演出するようになっている。なお、詳しく図示しないが、可動部材７１は、カバー部材と、光源基板（電子回路基板）と、仕切り部材と、上部インナーレンズと、下部インナーレンズと、センターレンズと、アウターレンズとを有する。
【００４４】
図３に明確に示すように、シャッター装置７０は矩形枠状のスライドベース１０２を備え、このスライドベース１０２は、その中央部に前記ディスプレイ用窓部３０ｅを構成する開口部を有する。また、スライドベース１０２の上縁部には、支持体としての支持部材１０５がスライドベース１０２に対して略直角を成すように水平に延在して取り付けられている。
【００４５】
支持部材１０５には、可動部材７１，７１を左右に往復移動させる駆動機構７２が設置され、駆動機構７２は、図４および図５に明確に示すように、支持部材１０５上の一端に固定される回転可能な駆動プーリ１２４と、支持部材１０５上の他端に移動可能に設けられる従動プーリ１２３と、これらの駆動プーリ１２４および従動プーリ１２３に掛け渡されるベルト１２５と、駆動プーリ１２３を回転駆動させるためのモータ７３とを有する。モータ７３は、本実施の形態では、ＤＣブラシレスモータとして構成される。
【００４６】
ベルト１２５は、例えば、凹凸がベルト１２５の長手方向に沿って順次多数形成されてなるタイミングベルト（歯車付き無端ベルト）として形成される。したがって、このベルト１２５は、駆動プーリ１２４および従動プーリ１２３の外周面に形成される歯に噛み合うことによって駆動プーリ１２４および従動プーリ１２３に対して滑ることなく回転するようになっている。また、このベルト１２５には、その長手方向の所定の２か所に、取着部９９を介して、可動部材７１，７１の上端が一体に取り付けられる。また、ベルト駆動による可動部材７１，７１の安定した往復動を実現するために、可動部材７１，７１は、その上端がガイドロッド１３５に移動可能に取着されており、その往復移動が案内されるようになっている。この場合、ガイドロッド１３５は、その両端がスライドベース１０２の上端に対して固定部材９７により例えば締結固定される。
【００４７】
なお、このような駆動機構７２は、図３に示すように、例えば透明な樹脂カバーから成る従動プーリカバー１１９によって従動プーリ１２３が外側から覆われ、例えば透明な樹脂カバーから成る駆動プーリカバー１１７によって駆動プーリ１２４が外側から覆われるとともに、例えば透明な樹脂カバーから成る一対（１つであってもよい）のメインカバー１１８，１１８によってベルト駆動部が外側から覆われるようになっている。
【００４８】
図５〜図８に明確に示すように、駆動機構７２を支持する支持部材１０５は、金属製のベース部材１０３と、このベース部材１０３上に一体に重ね合わされてベルト駆動等に関与する各種のセンサ等を実装する例えば透明な樹脂から成るセンサベース１０４とによって構成される。この場合、図５に明確に示すように、ベース部材１０３は、例えば、支持部材１０５の全長（スライドベース１０２の上縁部のほぼ全長）にわたってベルト１２５の延在方向に沿って延びる長尺な略板状の部材として形成され、一方、センサベース１０４は、ベース部材１０３の左右両端側（駆動プーリ１２４側および従動プーリ１２３側）でベルト１２５の延在方向に沿って延びている。
【００４９】
駆動機構７２を構成する駆動プーリ１２４は、支持部材１０５側から上方に延出する軸部１１９によって正逆回転可能に軸支される。ベース部材１０３の下面側にはモータ保持部７３ａが取り付けられており、このモータ保持部７３ａにはギアを伴ってモータ（ＤＣブラシレスモータ）７３が装着されている。この場合、モータ７３の駆動軸にギアが取り付けられており、このギアは駆動プーリ１２４の軸部１１９に取り付けられたギアと噛合される。したがって、駆動プーリ１２４は、モータ７３を駆動させることによってギア等を介して軸部１１９の回りで回転される。
【００５０】
一方、従動プーリ１２３は、支持部材１０５上に、より正確には支持部材１０５を構成するセンサベース１０４上に移動可能に支持されるプーリ保持体１０６に保持される。具体的には、従動プーリ１２３は、プーリ保持体１０６から上方に突出する軸部１０６ａにより正逆回転可能に軸支される。したがって、前述したモータ７３によりギアを介して駆動プーリ１２４を正逆回転させると、駆動プーリ１２４と従動プーリ１２３との間に掛け渡されたベルト１２５が回転移動し、ベルト１２５に取着された可動部材７１，７１左右に往復動するようになる。
【００５１】
センサベース１０４によるプーリ保持体１０６の移動可能な支持は、後述する位置調整固定部による位置調整を可能にするように成される。具体的には、プーリ保持体１０６には、少なくとも１つ以上の部位に、特に本実施の形態ではベルト延在方向に沿うプーリ保持体１０６の両端部の３か所（駆動プーリ１２４と対向する側の端部に１か所および反対側の端部両側に２か所）に、センサベース１０４に対してベルト延在方向で所定の遊度Ｘをもって支持される遊嵌部１０６ｂが設けられる。これらの遊嵌部１０６ｂはそれぞれ、センサベース１０４から上方に立ち上がる対応するボス部１０４ａに遊嵌され、ベルト延在方向に沿うボス部１０４ａの両側に所定の遊度Ｘ（本実施の形態では、例えば片側にそれぞれ１．５ｍｍの遊度Ｘ）を形成可能な嵌め合い凹陥部Ｓ（ボス部１０４ａに遊嵌される長穴）を内側に画定するべく従動プーリ１２３を支持するその支持面１０６ｃから上方に立ち上がるように断面が略コの字型に屈曲されている。
【００５２】
また、図８に示すように、センサベース１０４に対するプーリ保持体１０６の相対移動経路をベルト延在方向と直交する方向で規定して支持部材１０５に対するプーリ保持体１０６の相対移動を安定して行なうことができるようにするガイド部１２９が、支持部材１０５（支持部材１０５を構成するベース部材１０３またはセンサベース１０４の少なくとも一方）によって形成される。このガイド部１２９は、前述したボス部１０４ａと共に、後述する位置調整固定部を用いた支持部材１０５に対するプーリ保持体１０６の相対移動をスムーズに行なえるようにプーリ保持体１０６をベルト延在方向で案内するガイド手段を形成する。
【００５３】
なお、プーリ保持体１０６の遊嵌部１０６ｂをボス部１０４ａに対して位置決め固定して支持部材１０５に対するプーリ保持体１０６の相対位置を固定するために、ボス部１０４ａには、遊嵌部１０６ｂのネジ穴１４９に挿通されるネジ部材１４０が螺合されるネジ穴（雌ネジ穴）１３９が形成される。なお、本実施の形態では、支持部材１０５に対するプーリ保持体１０６の相対位置の実質的な固定が後述する位置調整固定部によって成されるため、ネジ部材１４０により位置決め固定は、実際には、位置調整固定部による位置決め固定を補助するものとして役立つ。
【００５４】
また、本実施の形態の駆動機構７２は、支持部材１０５に対するプーリ保持体１０６の相対的な位置をベルト１２５の延在方向で可変調整して固定するための位置調整固定部を有する。具体的に、本実施の形態において、位置調整固定部は、支持部材１０５に対するプーリ保持体１０６の微小な相対移動を可能にし得るネジ機構として構成される。より具体的には、そのようなネジ機構は、プーリ保持体１０６に設けられるナット１３０と、支持部材１０５に設けられてナット１３０と螺合されるボルト１５０（図６および図７に仮想線で示される）とによって構成される。無論、逆の配置形態であってもよい。すなわち、ナット１３０が支持部材１０５側に設けられるとともに、ボルト１５０がプーリ保持体１０６に設けられてもよい。
【００５５】
この場合、ボルト１５０は、ベルト延在方向に面するようにベース部材１０３から略垂直に立ち上がる側壁１０３ａのボルト孔１２０に挿通されて設けられ、一方、ナット１３０は、側壁１０３ａと対向するプーリ保持体１０６のナット装着部１０６ｄに好ましくは着脱可能に嵌め込んで設けられる。そして、ボルト１５０は、ナット装着部１０６ｄに形成される通孔１０６ｅを通じて延び、その雄ネジ１５０ａがナット１３０の雌ネジ１３０ａと螺合される。
【００５６】
このような構成の位置調整固定部によれば、ボルト１５０を締め付けたり緩めたりすることによりベルト１２５の張力を微調整できる。すなわち、ボルト１５０を締め付けると、ナット１３０とボルト１５０との間の距離が短くなってプーリ保持体１０６全体が支持部材１０５に対して移動して側壁１０３ａ側に引き寄せられることにより、プーリ保持体１０６に保持される従動プーリ１２３と駆動プーリ１２４との間の距離が大きくなり、ベルト１２５の張力が高くなる。一方、ボルト１５０を緩めるとともに、ナット１３０とボルト１５０との間の距離が長くなってプーリ保持体１０６全体が支持部材１０５に対して移動して側壁１０３ａから離間されることにより、プーリ保持体１０６に保持される従動プーリ１２３と駆動プーリ１２４との間の距離が小さくなり、ベルト１２５の張力が低くなる。このような支持部材１０５に対するプーリ保持体１０６の相対位置（ベルト張力）の微調整は、ネジ機構の特性により、その調整された位置の固定（ベルト張力の保持）をも同時に伴うが、本実施の形態では、位置調整固定部による微調整が終了したら、調整位置の固定の万全を期すため、各遊嵌部１０６ｂでネジ部材１４０がボス部１０４ａのネジ穴１３９に螺合される。
【００５７】
以上説明したように、本実施の形態によれば、位置調整固定部（１３０，１５０）によって、支持部材１０５に対するプーリ保持体１０６の相対的な位置をベルト１２５の延在方向で可変調整して固定できるようになっているため、プーリ１２３，１２４およびベルト１２５の組み付け後であっても、適宜、プーリ保持体１０６により保持される従動プーリ１２３と駆動プーリ１２４との間の距離を任意に（特に微小に）変化させて、駆動プーリ１２４と従動プーリ１２３との間に掛け渡されるベルト１２５の張力を微調整し、その調整した張力を容易に保持することが可能となる。
【００５８】
また、このように、駆動プーリ１２４を回転駆動させるモータ７３の駆動性能（トルク）に影響を与えるパラメータとしてのベルト張力を任意に且つ適宜に調整できれば、所望のモータ駆動性能を確実に得ることができるようになる。したがって、本実施の形態のように、ベルト移動の高速化を図るべく、モータ軸に作用する負荷（すなわち、ベルト張力）に応じて速度変化を伴うＤＣブラシレスモータをプーリ駆動用モータとして採用する場合であっても、位置調整固定部によってベルトの張力を細かく調整することによりモータ軸に作用する負荷を適正に保って、所望のＤＣモータ駆動特性を容易に実現できるようになる。
【００５９】
また、本実施の形態では、位置調整固定部（１３０，１５０）のみによってベルト張力の調整および保持の両方を行なうことができるため、部品点数の削減にも寄与し得る。
【００６０】
また、本実施の形態の位置調整固定部はネジ機構により構成されるため、ネジのピッチを細かく設定することにより、ボルト１５０を締め付けたり緩めたりするだけで、支持部材１０５に対するプーリ保持体１０６の微小な移動を容易且つ効果的に実現して、ベルト張力を素早く簡単に微調整できるだけでなく、ボルトの締め具合が変わらない限り、調整した位置を確実に保持できるため、前述した特許文献１のようなストッパを設ける必要もない。
【００６１】
なお、本発明は、前述した実施の形態に限定されず、その要旨を逸脱しない範囲で種々変形して実施できる。例えば、前述の実施の形態では、位置調整固定部がナット１３０とボルト１５０とから成るネジ機構により構成されているが、位置調整固定部は、ネジ機構を伴うことなく、プーリ保持体１０６側の複数個所に取り付けられて（具体的には、例えば、従動プーリカバー１１９の４つのネジ部材（従動プーリカバー１１９を支持部材１０５に対して締結固定するネジ部材）１８０（図３参照）の部位に取り付けられて）、プーリ保持体１０６を支持部材１０５に対して移動させることによりベルト１２５の張力を目標張力に設定する定荷重バネを伴ってもよい。これによれば、定荷重バネによってベルト１２５を常に正確に且つ迅速に目標張力に設定できるため、量産性に優れ、手動調整による誤差を回避できる。この場合、定荷重バネは、例えば、ベルト張力調整時に支持部材１０５とプーリ保持体１０６との間に介在されてベルト張力調整後（ネジ部材１４０の締結後）に遊技機側から取り外される冶具として構成されてもよいが、ベルト張力調整後も支持部材１０５とプーリ保持体１０６との間に常に介在される常設部材として構成されても構わない。また、プーリ保持体１０６及び支持部材１０５の構造形態も前述した実施の形態に限定されず、任意に設定できる。
【符号の説明】
【００６２】
７３  モータ
１０５  支持部材（支持体）
１０６  プーリ保持体
１２３  従動プーリ
１２４  駆動プーリ
１２５  ベルト
１３０  ナット（位置調整固定部）
１５０  ボルト（位置調整固定部）
Ｍ  スロットマシン（遊技機）
【図１】
2019170864.tif 000003
【図２】
2019170864.tif 000004
【図３】
2019170864.tif 000005
【図４】
2019170864.tif 000006
【図５】
2019170864.tif 000007
【図６】
2019170864.tif 000008
【図７】
2019170864.tif 000009
【図８】
2019170864.tif 000010